(57)【要約】【課題】  本考案は、使用中、適度の反発的感触と、臀部を柔らかく包み込む感触とを兼備し、かつ、使用後においては、素早い復元力を有した高性能座部クッションを安価に提供することを目的とする。【解決手段】  上記の課題を解決するために、本考案に基づく高性能座部クッションは、底板部１１及び当該底板部の周囲を囲繞して内域には少なくとも一つの詰物収容部１２を作出する囲堤部13を具備する強伸縮性ウレタンフォーム製の座部ブロック１と；この座部ブロック１の前記詰物収容部１２内に膨満状態に充填された多数の低反発性のウレタンフォームチップ２と；このウレタンフォームチップ２の充填された前記座部ブロック１の詰物収容部１２の上面を包んで封止する強伸縮性ウレタンフォーム製のキャップシート３とから構成する。【選択図】  図１
0003108131.tif 000002
【実用新案登録請求の範囲】
【請求項１】
底板部１１および当該底板部の周囲を囲繞して内域には少なくとも一つの詰物収容部12を作出する囲堤部１３を具備する強伸縮性ウレタンフォーム製の座部ブロック１と；この座部ブロック１の前記詰物収容部１２内に膨満状態に充填された多数の低反発性のウレタンフォームチップ２と；このウレタンフォームチップ２の充填された前記座部ブロック１の詰物収容部１２の上面を包んで封止する強伸縮性ウレタンフォーム性のキャップシート３とから構成されており、強伸縮性ウレタンフォーム材料の高伸縮性と低反発性ウレタンフォーム材料の遅延的な低反発性との巧みな組み合わせによって、臀部を心地良く支承することを特徴とする高性能座部クッション。
【請求項２】
低反発性ウレタンフォームチップ２が、ウレタンフォームの成形体を平均粒径１ｃｍ程に粉砕して得られた粉砕チップであることを特徴とする請求項１記載の、高性能座部クッション。
【請求項３】
低反発性のウレタンフォームチップ２の比重が、６〜８ｋｇ／立方メートルであることを特徴とする請求項１又は２記載の高性能座部クッション。
【請求項４】
強伸縮性ウレタンフォーム製のキャップシート３により封止された前記座部ブロック１全体の外側が、さらにカバー袋４によって被包されていることを特徴とする請求項１〜３の何れか一つに記載の、高性能座部クッション。
【考案の詳細な説明】
【技術分野】
【０００１】
本考案は、ソファ・長椅子等の座部クッションに関し、更に詳しくは、強伸縮性ウレタンフォーム材料と低反発ウレタンフォーム材料の特性を巧みに利用して高性能の座部クッションを実現したものである。
【背景技術】
【０００２】
従来、ウレタンフォームを利用したクッション構造体としては、クッション体の上下面に低反発ウレタンフォームを有し、全体を外装生地で被覆して成り、かつ、外装生地が伸縮性を有するものがあり、外装生地と低反発ウレタンフォームとを全面接着したマットレス（特開2003-230462 号公報) 等が知られている。
【特許文献１】特開２００３−２３０４６２号公報
【考案の開示】
【考案が解決しようとする課題】
【０００３】
しかしながら、上述した従来技術に基づくマットレスにおいては、構造上、本体重量が嵩み、持ち運びに不便である上に、低反発ウレタンフォームを使用しているとは云い得るものの、外装生地にキルティングできる程度の薄いシート形態のものしか使用しないため当該ウレタンフォーム特有の沈み込む様な感触が得られず、坐り心地が良好とは言えないし、しかも一般的な弾性発泡体とコイルスプリングとを組み合わせる構造になっているので、構造的にも複雑で重く、かつ、コスト的にも高くならざるを得なかった。
【０００４】
本考案は、従来技術において上記の如き不都合な点があった点に鑑みて成されたものであって、使用においては、適度の反発的感触と、臀部を柔らかく包み込む感触とが合わって、使い心地が良く、低反発性ウレタンフォームを内蔵しているにも拘わらず、素早い復元力を有して、好ましい形態を復元する座部クッションを提供することを目的とする。    
【０００５】
また、製造に当たっては、作業の省力化と原材料コストの低減により、取扱に便利で、耐久性を有した商品価値の高い座部クッションを安価に提供することを目的とする。
【課題を解決するための手段】
【０００６】
本考案は、上記の課題を解決するために、基本的な手段として、底板部１１及び当該底板部の周囲を囲繞して内域には少なくとも一つの詰物収容部１２を作出する囲堤部13を具備する強伸縮性ウレタンフォーム製の座部ブロック１という高弾性外殻手段、この座部ブロック１の前記詰物収容部１２内に膨満状態に充填された多数の低反発性のウレタンフォームチップ２という分散性クッション手段と、そして、このウレタンフォームチップ２の充填された前記座部ブロック１の詰物収容部１２の上面を包んで封止する強伸縮性ウレタンフォーム製キャップシート３という高弾性キャップ手段を組み合わせることによって、強伸縮性ウレタンフォーム材料の高伸縮性と低反発性ウレタンフォーム材料の遅延的な低反発性との巧みな組み合わせによって、臀部を心地良く支承することを特徴とする高性能座部クッションを実現したのである。
【０００７】
しかして、低反発性ウレタンフォームチップ２としては、低反発ウレタンフォームの成形体を平均粒径１ｃｍ程に粉砕し、かつ、各々の粉砕粒の比重が、６〜８ｋｇ/立方メートルであることが好ましく、かくすることにより、低反発性ウレタンフォームの沈み込む様な心地よい感触を最適にすることができる。
【０００８】
また、全体をカバー袋４によって包んでおくことにより、ウレタンフォーム特有のべたつき感を取り除くことができると共に、クッションに所望の色・柄を付加することができる。
【考案の効果】
【０００９】
上述の如く、本考案においては、従来の如く、低反発性ウレタンフォームの反発性能を単純に利用するのではなく、各種ウレタンフォームの特性を最大限利用することにより、坐り心地が頗る良好で、取扱に便利な高性能座部クッションを提供することができる。
【００１０】
同じく、耐久性と柔軟性に優れた弾性ウレタンフォームより構成されるシートを使用したことにより、復元力に富んだクッション構造体を提供することができ、使用後における外観上の見苦しさを解消することができる。
【００１１】
更には、材料単価が手頃で加工のし易い、また、耐久性に優れたウレタンフォームを弾性体として採用したことで、高性能な座部クッションを安価に提供することができる。
【考案を実施するための最良の形態】
【００１２】
以下、添付の図面に基づき、本考案を更に詳細に説明する。尚、図１は、本考案に基づく実施例１の座部クッションＣを示す一部分解斜視図であり、図２は、本考案に基づく実施例２の座部クッションＣを示す一部分解斜視図である。
【実施例１】
【００１３】
図１において、符号１にて指示するものは、強伸縮性ウレタンフォーム製の座部ブロックであって、図示の如く、底板部１１と当該底板部の周囲を囲繞して内域に、仕切部１４を介して、２つの詰物収容部１２・１２を作出する囲堤部１３を形成しておく。次に、符号２にて指示するものは、低反発性ウレタンフォームの成形体を平均粒径１ｃｍ程に粉砕して得られた粉砕チップから成るウレタンフォームチップであって、座面に均一な反発弾性力を付与するため、各詰物収容部１２全域に隈なく充填されている（充填密度：６〜８ｋｇ／立方メートル）。尚、この実施例においては、長椅子用の座部クッションを例示しており、前記仕切部１４を介して前記ブロックの内域を各収容部に区分することで、充填されたウレタンフォームチップ２が前記囲堤部１３の内域の一方に偏って、クッション性が不均一となることを防止することができる。
【００１４】
次に、符号３にて指示するものは、前記ウレタンフォームチップ２の充填された前記座面ブロック１の上面を包んで封止する強伸縮性ウレタンフォーム製のキャップシートであって、着座に際しては、このシートの高伸縮性と前記ウレタンフォームチップ２の遅延性の低反発機能との巧みな組み合せによって、臀部を心地良く支承することができると共に使用後は、その弾性によって、窪んだ箇所が素早く回復して、外観上見苦しくなることはない。続いて、符号４にて指示するものは、伸縮性布地から構成されるカバー袋であって、当該袋の装着により、ウレタンフォーム特有のまとわりつく様なべたつき感を取り除くことができると共に、座部クッションに所望の色と柄を付加することができる。
【実施例２】
【００１５】
図２において、符号Ｃにて指示するものは、一人用の丸座布団であって、図示の通り、座部ブロック１の内域には、ウレタンフォームチップ２のブロック内移動を最小限に止めるため、２つの仕切部１４を同心円状に設けることにより、３つの詰物収容部１２・１２・１２を作出している。各収容部には、ウレタンフォームチップ２を膨満状態に充填してあり、座面のどの部分に座っても、均一な反発弾性力の作用により、良好な坐り心地を体感することができる。
【００１６】
本実施例に基づく座部クッション（丸座布団）は、上記の如く、仕切部を同心円状に２つ設けることにより、使用後、当該仕切部と接着して成るキャップシート３との協働により、窪んだ箇所が更に素早く元に戻って、外観上の見苦しさを呈することはない。
【産業上の利用可能性】
【００１７】
以上述べた通り、本考案は、従来の如く、低反発ウレタンフォームの反発性能を単純に利用するのでなく、更に踏み込んで、各種ウレタンフォームの特性を最大限利用することにより、臀部を心地良く支承することができ、かつ、使い勝手の良い高性能座部クッションを提供することができる。
【００１８】
また、高伸縮性ウレタンフォーム製の座部本体とキャップシートとの利用により、使用後素早く、元の形状に復帰して、外観上の見苦しさを露呈することはない。更に、材料単価が手頃で加工がし易く、クッション性を長期に渡り維持可能なウレタンフォームの利用により頗る坐り心地の良い高性能座部クッションを安価に提供でき、産業上の利用可能性は高いと言える。
【図面の簡単な説明】
【００１９】
【図１】図１は、本考案に基づく実施例１の座部クッションを示す一部分解斜視図である。
【図２】図２は、本考案に基づく実施例２の座部クッションを示す一部分解斜視図である。
【符号の説明】
【００２０】
１  座部クッション
11  底板部
12  詰物収容部
13  囲堤部
14  仕切部
２  ウレタンフォームチップ
３  キャップシート
４  カバー袋
Ｃ  座部クッション
【図１】
0003108131.tif 000003
【図２】
0003108131.tif 000004